【事件の表示】
　特許第６５３４６４２号発明「核医学検査支援装置及び核医学検査支援方法」の特許異議申立事件について、次のとおり決定する。
【結　論】
　特許第６５３４６４２号の請求項１ないし６に係る特許を維持する。
【理　由】
１　手続の経緯
　特許第６５３４６４２号の請求項１〜６に係る特許についての出願は、平成２８年８月１９日に出願され、令和元年６月７日にその特許権の設定登録がされ、令和元年６月２６日に特許掲載公報が発行された。その後、その特許に対し、令和元年１２月１７日に特許異議申立人鈴木香織（以下、「異議申立人」という。）は、特許異議の申立てを行った。
　
２　本件発明
　特許第６５３４６４２号の請求項１〜６の特許に係る発明は、それぞれ、その特許請求の範囲の請求項１〜６に記載された事項により特定される次のとおりのものである。
　
「【請求項１】
　核医学検査の依頼情報を取得する依頼取得部と、
　前記取得された依頼情報に基づいて、検査枠及び検査種を示す検査予約情報を検査予約テーブルに格納する予約登録部と、
　少なくとも前記検査予約情報の前記検査種に基づいて放射性医薬品を特定し、該特定された放射性医薬品の発注情報であって前記検査予約情報の前記検査枠に対応する検定日時情報を含む発注情報を生成する発注生成部と、
　を備える核医学検査支援装置。
【請求項２】
　前記検査予約情報は、前記検査枠又は被検者情報を含み、
　前記発注情報で発注された放射性医薬品を用いた核医学検査の検査画像を取得する画像取得部と、
　前記取得された検査画像を画像解析して解析情報を生成する解析部と、
　前記生成された解析情報を前記検査枠又は前記被検者情報と関連付けて保持する解析保持部と、
　を更に備える請求項１に記載の核医学検査支援装置。
【請求項３】
　前記検査予約情報は、被検者情報を含み、
　前記発注情報で発注された放射性医薬品の配送情報を取得する配送情報取得部と、
　前記配送情報に関する所定条件を満たしたことを契機に、前記発注情報に対応する前記検査予約情報により示される被検者宛てに検査予定情報を提供する情報提供部と、
　を更に備える請求項１又は２に記載の核医学検査支援装置。
【請求項４】
　検査枠ごとに予約可否を示す検査予約状況表示を表示装置に出力させる表示処理部、
　を更に備え、
　前記表示処理部は、放射性医薬品の発注期限の情報に基づいて、前記検査予約状況表示で示される検査枠ごとの予約可否を変更する、
　請求項１から３のいずれか一項に記載の核医学検査支援装置。
【請求項５】
　前記依頼取得部による前記依頼情報の取得に伴い、核医学検査を行う検査施設宛てに予約依頼情報を送信する依頼送信部と、
　前記予約依頼情報に対する返信を受信する返信受信部と、
　を更に備え、
　前記検査枠は、検査日時ごとに設けられており、
　前記予約依頼情報は、前記検査枠、前記検査種、依頼元機関、及び核医学検査の被検者を示し、
　前記受信された返信に従って、前記発注生成部により前記発注情報が生成されるか否かが異なる、
　請求項１から４のいずれか一項に記載の核医学検査支援装置。
【請求項６】
　少なくとも一つのコンピュータにより実行される核医学検査支援方法であって、
　核医学検査の依頼情報を取得し、
　前記取得された依頼情報に基づいて、検査枠及び検査種を示す検査予約情報を検査予約テーブルに格納し、
　少なくとも前記検査予約情報の前記検査種に基づいて放射性医薬品を特定し、
　前記特定された放射性医薬品の発注情報であって前記検査予約情報の前記検査枠に対応する検定日時情報を含む発注情報を生成する、
　ことを含む核医学検査支援方法。」
３　申立理由の概要
　異議申立人の主張する申立理由と提出された甲号証は、次のとおりである。
（１）申立理由１
　請求項１、５〜６に係る特許は、特許法第２９条第１項第３号に該当する発明についてなされたものであって同項の規定に違反してされたものである。（甲第１号証）
（２）申立理由２
　請求項２〜４に係る特許は、甲第１号証に記載された発明を主引用発明として特許法第２９条第２項の規定に違反してされたものである。
　また、請求項１〜６に係る特許は、甲第２号証又は甲第３号証に記載された発明を主引用発明として特許法第２９条第２項の規定に違反してされたものである。（甲第１号証〜甲第６号証）
（３）申立理由３
　請求項１〜６に係る特許は、特許法第３６条第４項第１号に規定する要件を満たしていない特許出願に対してなされたものである。
（４）申立理由４
　請求項１〜６に係る特許は、特許法第３６条第６項第１号に規定する要件を満たしていない特許出願に対してなされたものである。
（５）提出された甲号証
　甲第１号証　特開２００３−１８５７４９号公報
　甲第２号証　特開２００３−１５０８３０号公報
　甲第３号証　特開２００６−３２３６３４号公報
　甲第４号証　”検定日・納入日・ご注文締切日｜日本メジフィジックス株式会社”[online]の写し
　甲第５号証　「核医学における臨床解析ソフトウェアの基礎と応用」
　甲第６号証　特開２００３−１９６４０４号公報
　甲第７号証　国際公開第２０１２／０３９１４８号
　
４　甲第１号証〜甲第３号証の記載
（１）甲第１号証には、次のとおり、記載されている。
「【０００９】・・・本発明は、
放射性薬剤の製造装置を備える薬剤製造サイトから検診装置を備える検診サイトに放射性薬剤を供給し、検診サイトにおいて放射性薬剤を使用して被検診者に検診を行う放射線検診システム
被検診者の検診の希望日時の情報
放射性薬剤の製造から検診までのジョブの情報
検診サイトに放射性薬剤を供給可能な日時を決定し
決定した日時と各サイトの資源の情報とに基づいて各サイトにおけるスケジュールを生成する
　
「【００２５】放射線検診システムにおいて薬剤の製造から放射線検診までの全てを含むプロセスにおいて、
主要資源毎の処理や作業のまとまり
オペレーション
一人の被検診者（一つの検診）に着目したオペレーションの系列であって、各種の制約条件を考慮した上で実行可能なもの
ジョブ
【００２６】ジョブは、それを構成するオペレーションと、各オペレーションの開始時刻、終了時刻、開始時刻における薬剤の種類や量等の情報で構成する。そして、
具体的な被検診者（すなわち、被検診者に対する検診）が決定されているジョブ
オーダ
【００２７】本実施の形態に係る
詳細スケジュール
オーダに基づいて全ての資源についての各種の制約条件を考慮した上で実行可能となるようにタスクを割り付けた結果
各種の資源についての開始時刻や終了時刻の情報等
【００２８】本実施の形態では、
薬剤製造サイトにおける核種製造装置、薬剤合成装置、配送サイトにおける配送用車両、検診サイトにおける
撮像装置
核種製造装置、薬剤合成装置、配送用車両、撮像装置が主要資源である
【００２９】図６には、ジョブの一例としてジョブＪを示している。
ジョブＪは、放射線検診システムの主要なプロセスとして、核種製造装置を使用して核種を製造するオペレーションＭ１、薬剤合成装置を使用して薬剤を合成するオペレーションＭ２、配送用車両を使用して薬剤を薬剤製造サイトから検診サイトに配送するオペレーションＤ１および撮像装置を使用して撮像するオペレーションＣ１の４つのオペレーションで構成される。
各オペレーションは、それぞれの開始時刻と終了時刻のデータを持ち、さらに薬剤に関する種類や量に関するデータを含む情報を持っている。
【００３０】また、
各オペレーションの情報は、そのオペレーションについて開始時刻を変更し得る範囲の情報、すなわち、最早開始時刻と最遅開始時刻のデータが付与される場合がある。
　
「【００４２】
放射線検診システム１Ａ
放射線検診システム１Ａは、薬剤製造サイト２Ａ、配送サイト３Ａ，多数の検診サイト４Ａおよびスケジューリングサービス提供サイト５Ａから構成される。特に、スケジューリングサービス提供サイト５Ａには、放射線検診スケジュール生成システム６Ａが構築される。
【００４３】放射線検診システム１Ａでは、スケジューリングサービス提供サイト５Ａと薬剤製造サイト２Ａ、配送サイト３Ａおよび多数の検診サイト４Ａとの間が公衆電話回線、インターネットあるいは専用回線等の通信回線により接続されており、この通信回線を介して情報を送受信している。そして、放射線検診システム１Ａでは、スケジューリングサービス提供サイト５Ａにおいて各サイトの装置や従事者に対するスケジュールを生成し、このスケジュールに基づいて薬剤製造サイト２Ａで薬剤Ｍを製造し、配送サイト３Ａが製造した薬剤Ｍを検診サイト４Ａまで配送し、検診サイト４Ａで配送された薬剤Ｍを用いて被検診者に対して放射線検診を行っている。」
　
「【００６２】・・・
検診サイト４Ａは、スケジューリング提供サイト５Ａの放射線検診スケジュール生成システム６Ａから検診詳細スケジュールＳＣを受信し、この検診詳細スケジュールＳＣに従って薬剤注入器４ａ、ベッド４ｂ、撮像装置４ｃおよび医師、看護婦、専門の技師を管理する
　
「【００６８】ある被検診者が検診の予約を行うと、検診情報入出力装置４ｈでは、オペレータの指令に応じてディスプレイに検診予約画面４ｉを表示する（図４参照）。すると、オペレータは、被検診者の希望に応じて、検診予約画面４ｉに対して検診サイト、検診種別、放射線検診システム１Ａにおいて各被検診者を識別するためのコード（記号）である被検診者ＩＤおよび検診希望日と時刻を入力する。・・・オペレータによって検診予約画面４ｉに入力後に送信ボタン４ｊが押されると、検診情報入出力装置４ｈでは、検診予約画面４ｉに入力された情報を
検診予約要求ＱＲとして放射線検診スケジュール生成システム６Ａに送信
【００６９】
放射線検診スケジュール生成システム６Ａからの検診の予約の結果（予約結果ＲＲ）を受信する
図５に示す例では、図４に示す検診の予約要求に対し、２００１年６月１４日午前８時にＡ検診サイトの撮像装置１を使用して検診を行うことが可能であることを示している。これは、同時に、この日時にＦＤＧの薬剤Ｍを供給できることを意味している
【００７０】そして、オペレータは、検診予約結果画面４ｋに表示された予約結果に同意する場合には検診予約結果画面４ｋの登録ボタン４ｌをマウスを操作してクリックし、・・・。すると、検診情報入出力装置４ｈでは、このクリックされたボタンの情報を放射線検診スケジュール生成システム６Ａに送信する。また、登録ボタン４ｌがクリックされた場合、検診情報入出力装置４ｈでは、検診予約要求ＱＲと予約結果ＲＲを関連付けして詳細スケジュール記憶装置４ｅに格納する。・・・」
　
「【００７１】図１を参照して、スケジューリングサービス提供サイト５Ａについて説明する。
スケジューリングサービス提供サイト５Ａ
薬剤製造サイト２Ａ、配送サイト３Ａおよび検診サイト４Ａからの資源の情報（主要資源の稼動予定の情報を含む）と検診サイト４Ａからの検診予約の要求に基づいて製造詳細スケジュールＳＭ、配送詳細スケジュールＳＤおよび検診詳細スケジュールＳＣを生成し、各詳細スケジュールＳＭ，ＳＤ，ＳＣを各サイト２Ａ，３Ａ，４Ａに送信している。
スケジューリングサービス提供サイト５Ａでは、検診サイト４Ａで行う放射線検診の予約管理
このような処理を行うために、スケジューリングサービス提供サイト５Ａには、放射線検診スケジュール生成システム６Ａが構築されている
【００７２】放射線検診スケジュール生成システム６Ａについて説明する。放射線検診スケジュール生成システム６Ａは、予約管理装置６ａ、詳細スケジュール生成装置６ｂ、ジョブ記憶装置６ｃ、オーダ記憶装置６ｄ、資源情報記憶装置６ｅ、詳細スケジュール記憶装置６ｆおよび課金情報記憶装置６ｇを備えている。・・・
【００７３】放射線検診スケジュール生成システム６Ａは、放射線検診スケジュール生成ソフトウエアによってサーバコンピュータ（以下、「サーバ」と記載する）（図示せず）に構成される。また、このサーバは、各サイト２Ａ，３Ａ，４Ａと情報を送受信するために通信制御装置（図示せず）を備えており、特に、インターネットで情報を送受信する場合にはＷＷＷサーバプログラムを備えている。通信制御装置は、モデム、ＤＳＵ等から構成されている。
【００７４】予約管理装置６ａについて説明する。予約管理装置６ａは、サーバの主制御装置（図示せず）に構成されている。
予約管理装置６ａは、検診サイト４Ａから検診予約要求ＱＲが送信されると、ジョブ記憶装置６ｃに格納されているジョブスケジュールＳＪを読み出し、ジョブスケジュールＳＪから検診予約要求ＱＲの検査サイトや検診希望日時に適合するジョブを抽出する
抽出したジョブの中から、開始時刻変更可能範囲ＴＷに検診希望日時が入るジョブを抽出する
【００７５】
検診予約要求ＱＲを満たすジョブＪを抽出できた場合、予約管理装置６ａは、決定した検診開始日時および撮像装置の情報を含む予約結果ＲＲを検診サイト４Ａに送信する（
検診サイト４Ａから検診予約結果画面４ｋでのボタン４ｌ，４ｍ，４ｎのクリックされた情報を待つ（図５参照）。登録ボタン４ｌの情報の場合、予約管理装置６ａは、そのジョブＪをジョブスケジュールＳＪから削除し、さらに、そのジョブＪをオーダとして設定し、オーダ記憶装置６ｄにそのオーダおよび検診予約要求ＱＲと予約結果ＲＲを関連付けして格納する
　
「【００７７】詳細スケジュール生成装置６ｂについて説明する。詳細スケジュール生成装置６ｂは、サーバの主制御装置（図示せず）に構成されている。
詳細スケジュール生成装置６ｂでは、オーダ記憶装置６ｄに格納されているオーダスケジュールＳＯ（図１２参照）と資源記憶装置６ｅに格納されている各サイト２Ａ，３Ａ，４Ａの資源の情報に基づいて各サイト２Ａ，３Ａ，４Ａにおける詳細スケジュールＳＭ，ＳＤ，ＳＣを生成する
　
「【００８２】オーダ記憶装置６ｄについて説明する。オーダ記憶装置６ｄは、サーバの記憶装置（ハードディスク等）に構成される。オーダ記憶装置６ｄは、ジョブ記憶装置６ｃに格納されているジョブスケジュールＳＪの割付可能なジョブＪ１，・・・のうち（図７参照）、予約管理装置６ａで設定したオーダＯＲ１，・・・（確定したジョブ）を、オーダスケジュールＳＯとして将来の一定期間（例えば、数日）分時系列で配列して格納している（図１２参照）。なお、
オーダＯＲ１，・・・には検診予約要求ＱＲと予約結果ＲＲも関連付けられて格納されている
　
「【００９３】
薬剤製造サイト２Ａでは、製造詳細スケジュールＳＭを受信する
薬剤製造サイト２Ａでは、製造詳細スケジュールＳＭに従って、薬剤製造装置２ａ，２ｂを決められた時刻に稼動し、決められた量と種類の薬剤Ｍを製造する（Ｓ６）
　
「【００９７】次に、図１乃至図９を参照して、
放射線検診スケジュール生成システム６Ａでの検診サイト４Ａ（検診情報入出力装置４ｈ）との検診の予約処理
【０１０４】続いて、予約管理装置６ａでは、
設定したオベレーションの検診開始日時に基づいて製造する薬剤Ｍおよび核種の量を前記した式（３）および式（４）により算出する
　
　以上の記載によれば、甲第１号証には、
「放射性薬剤の製造装置を備える薬剤製造サイトから検診装置を備える検診サイトに放射性薬剤を供給し、検診サイトにおいて放射性薬剤を使用して被検診者に検診を行う放射線検診システムであって、
　薬剤製造サイト、配送サイト、多数の検診サイト、および、放射線検診スケジュール生成システムが構築されたスケジューリングサービス提供サイトから構成され、これらの間が通信回線により接続されており、
　放射線検診スケジュール生成システムは、検診サイトで行う放射線検診の予約管理を行い、その際、検診サイトから検診予約要求が送信されると、ジョブ記憶装置に格納されているジョブスケジュールを読み出し、ジョブスケジュールから検診予約要求の検査サイトや検診希望日時に適合し、かつ、開始時刻変更可能範囲に検診希望日時が入るジョブ（核種製造装置を使用して核種を製造するオペレーションＭ１、薬剤合成装置を使用して薬剤を合成するオペレーションＭ２、配送用車両を使用して薬剤を薬剤製造サイトから検診サイトに配送するオペレーションＤ１および撮像装置を使用して撮像するオペレーションＣ１の４つのオペレーションで構成されたもの）を抽出し、ジョブを抽出できた場合、抽出したジョブのオペレーションの検診開始日時として検診希望日時を設定し、設定した検診開始日時に基づいて製造する薬剤および核種の量を算出し、検診開始日時および撮像装置の情報を含む予約結果を検診サイトに送信し、検診サイトからの登録ボタンの情報の送信に応じてジョブをオーダとして設定してオーダ記憶装置にオーダを検診予約要求と予約結果と関連付けして格納し、
　検診予約要求と関連付けして格納されたオーダと薬剤製造サイト、配送サイトおよび検診サイトからの主要資源の稼働予定の情報を含む資源の情報とに基づいて製造詳細スケジュールＳＭ、配送詳細スケジュールＳＤおよび検診詳細スケジュールＳＣを生成し、
　各詳細スケジュールＳＭ，ＳＤ，ＳＣをそれぞれ薬剤製造サイト、配送サイトおよび検診サイトに送信し、
　薬剤製造サイトでは、受信した製造詳細スケジュールＳＭに従って、薬剤製造装置を決められた時刻に稼動し、決められた量と種類の薬剤を製造する、
放射線検診システム。」
の発明（以下「引用発明１」という。）が記載されていると認められる。
　
（２）甲第２号証には、次のとおり、記載されている。
「【００１１】本発明は、上記事情に鑑みてなされたものであり、その目的とするところは、ＲＩ検査で使用する薬品を調べることなく、発注すべき薬品を求めることができ、発注作業を容易にすることを実現する発注システムを提供することにある。」
　
「【００１６】本実施の形態の
薬品発注システム１
放射線部門側のシステム２
通信網を介してデータ通信可能な薬品メーカー側のシステム３
【００１７】
システム２は、放射線部門情報管理システム（以下ＲＩＳ）とＲＩ薬品在庫管理システムとが組み合わせて構成される
　
「【００１９】より詳細には、システム２は、ＲＩ薬品の予約ないしは発注を希望する希望者（ユーザー）側の一又は複数のＲＩ薬品発注端末１０と、ＲＩＳの端末であってＲＩ検査予約情報を操作入力するための一又は複数の（ＲＩ検査予約情報を入力する装置）端末１２と、ＲＩ薬品管理情報を操作入力するための一又は複数の（ＲＩ薬品管理情報を入力する装置）端末１４と、これら端末１０、１２、１４、とネットワークＮ１などの通信網を介して無線、有線等により各々データ通信可能に形成されて薬品発注の管理を行うサーバー２０と、システム２からシステム３に対してデータ通信を行うためのモデム又はターミナルアダプタ等の通信機器２２と、を含んで構成されている。」
　
「【００２４】
端末１０は、ＲＩ薬品を発注するためのものであり
　
「【００３３】なお、端末１２、１４は、端末１０とほぼ同様の構成を有する。端末１２は、
ＲＩ検査予約情報（予約日、ＲＩ薬品名、数量）
　
「【００３６】上述のような構成を有する薬品発注システム１において、ある一定の時刻、または操作により
翌日以降のＲＩ検査を調べ、半減期、及び現在の在庫量に基づき、発注すべきＲＩ薬品をメーカー別（発注先別）に検索し、表示画面上に発注薬品リスト（ないしは発注先別の各発注薬品リスト）として表示される
検索されたＲＩ薬品の発注薬品リスト
注文書として送信される
　
「【００４０】（表示画面について）ここに、端末１０に表示される表示画面の一例について、図２〜図３を用いて説明する。
図２には、放射性医薬品使用予定一覧の表示画面
【００４１】同図に示すように、表示画面４０には、放射性医薬品名を表示するための放射性医薬品名表示部４１、当該薬品の量を表示する薬品量表示部４２、注射予定日を表示した注射予定日表示部４３、患者ＩＤを表示した患者ＩＤ表示部４４ａ、患者氏名を表示した患者氏名表示部４４ｂ、患者の性別を表示した患者性別表示部４４ｃ、患者の年齢を表示した患者年齢表示部４４ｄ、当該患者が入院患者であるのかあるいは外来患者であるのかの識別情報を表示した入外識別部４４ｅ、患者の病棟を示した病棟表示部４５、患者にＲＩ薬品を投与する部位を示した部位表示部４６などが表示形成されている。これら各部の各項目において各々データ入力が可能である。
【００４２】また、
図３には、薬品発注を行うための発注リストを表示した表示画面
【００４３】表示欄５１は、さらに、発注すべき放射性医薬品名を表示した放射性医薬品名表示部５１ａ並びに当該医薬品の発注される量を表示した薬品量表示部５１ｂが形成されている。他のＢ社、Ｃ社用の表示欄５２、５３においても同様に表示部５２ａ・５２ｂ及び表示部５３ａ・５３ｂが表示形成されている。」
　
「【００４７】一方、ユーザーは、
ＲＩ検査予約情報を入力する装置（端末）１２を用いて、検査予約情報を入力
検査予約情報をサーバーに対して送信
検査予約情報がサーバーにて受信される
医薬品の半減期、使用量を算出処理を行い
算出結果をデータベース（ＤＢ）に対して登録
検索予約情報の登録処理をも行う
【００４９】このように、入力した段階で、ＲＩ検査に用いられる薬品の半減期、使用量等をメーカー（発注先）毎に算出し導き出す。これは、殆ど必ず毎日やる場合が多い。つまり、
端末１４にて入庫情報が入力されるとともに、検査実施情報に基づき出庫情報を更新する
ＲＩ薬品の在庫量を算出
在庫量と半減期に基づいて発注が必要な（有効期限が切れる）薬品を抽出する
【００５０】在庫管理に関しては、
ある人に対する検査を行う場合に、その人に対する医薬品名、医薬品使用量等の入力を行う
【００５１】この結果、前記
データベース（ＤＢ）に登録、格納されるＲＩ薬品管理情報
例えば、検査実施情報、検査予約情報、メーカー毎の医薬品情報、医薬品に対応する半減期情報等
　
「【００５２】このような前処理とも呼ぶべき前提処理がなされた状態において、ユーザーがＲＩ薬品発注端末１０を用いて、
ＲＩ薬品を新たに発注する旨の操作を
発注要求が当該ＲＩ薬品発注端末１０からサーバーに対して送信される
【００５３】
サーバーは、前記発注要求を受領する
前記データベース（ＤＢ）を参照しながら、半減期等を鑑み、この時間において発注するべき発注薬品のリスト（発注薬品リスト）を抽出する処理を行う
ＲＩ薬品発注端末１０に対して当該リストに関する情報を送信する
【００５４】前記発注薬品リストに関する情報がＲＩ薬品発注端末にて受信されると（Ｓ１１２）、
当該リストは、ＲＩ薬品発注端末上の表示画面に表示される
【００５５】これにより、ＲＩ薬品発注端末１０にて、例えば、翌日のＲＩ検査に必要な一覧を表示して、発注を促すことができる。
【００５６】この時、（必要な期限管理された）発注しなければならない薬品の一覧を抽出（検索）し、当該ＲＩ薬品発注端末１０に情報が表示される。
【００５７】
この際の演算ならびに抽出（検索）は、自動的になされ、注文と関係なく明日使えるものが全てリストアップされる
予約情報、管理情報の入力等を行い、薬品の発注端末から指定した検査日を入力すると、自動的に薬品の発注リストが生成、抽出される
【００５８】この際、表示画面上には、当該リストが一覧表示されており、発注する薬品として何があるのかを確認することができる。その際、リストに不適切なＲＩ薬品が抽出されていた場合には、適宜選択することにより、リストを変更する処理を行えばよい。
【００５９】また、表示画面上には、発注を電子メールで行うのか、あるいはＦＡＸで行うのかを選択する選択部が表示形成されており、当該選択部での選択操作により、送信形態の選択を処理がなされる（Ｓ１１３）。
【００６０】そして、当該一覧に表示されたＲＩ薬品についての発注書を電子メールないしはＦＡＸにより薬品メーカー（薬品提供者）に送付することとなる。なお、発注の際のＦＡＸによる送信もしくは、電子メールによる送信はユーザーが選択できる。
【００６１】そして、送信形態を例えば電子メールに選択した場合には、電子メールによって発注要求が送信される（Ｓ１１４）。送信された電子メールは、サーバーを介し、メーカー側のサーバーにて受信される（Ｓ１１５）。」
　
　以上の記載によれば、甲第２号証には、
「放射線部門側システムと薬品メーカー側システムとを有する薬品発注システムであって、
　放射線部門側システムは、放射線部門情報管理システムとＲＩ薬品在庫管理システムとが組み合わせて構成されたものであって、ある一定の時刻、または操作により翌日以降のＲＩ検査を調べ、半減期、及び現在の在庫量に基づき、発注すべきＲＩ薬品をメーカー別（発注先別）に検索し、表示画面上に発注薬品リスト（ないしは発注先別の各発注薬品リスト）として表示され、検索されたＲＩ薬品の発注薬品リストが、ＦＡＸ又は電子メール等により注文書として送信されるものであり、
　端末を用いて入力されたＲＩ検査予約情報（予約日、ＲＩ薬品名、数量）が放射線部門側システムのサーバに送信され、
　このサーバは、この検査予約情報を受信し、この検査予約情報のデータベースへの登録処理を行うとともに、メーカー毎のＲＩ検査に用いられる医薬品の半減期、使用量の算出処理を行って算出結果をデータベースに登録する処理を行い、端末からの入庫情報の入力と検査実施情報に基づく出庫情報の更新によりＲＩ薬品の在庫量を算出し、算出された在庫量と半減期に基づいて発注が必要な（有効期限が切れる）薬品を抽出し、その際、検査を行う場合に医薬品使用量等が入力され、医薬品が使用される場合に実施登録がされて、結果として、データベースに、例えば、検査実施情報、検査予約情報、メーカー毎の医薬品情報、医薬品に対応する半減期情報等のＲＩ薬品管理情報が格納され、
　このような前提処理がなされた状態における、
当該ＲＩ薬品発注端末１０から送信された発注要求を受領すると、
　データベースを参照しながら、半減期等を鑑み、この時間において発注するべき発注薬品のリスト（発注薬品リスト）を抽出する処理を行い、
ＲＩ薬品発注端末１０に対して当該リストに関する情報をＲＩ薬品発注端末上の表示画面に表示すべく送信する
　この一覧に表示されたＲＩ薬品についての発注書が電子メール等により薬品メーカー（薬品提供者）に送付される、
システム」
の発明（以下「引用発明２」という。）が記載されていると認められる。
　
（３）甲第３号証には、次のとおり、記載されている。
　
「【０００１】本発明は、ネットワークを利用し、高額な医療診断機器を地域で共同利用するための検査予約システムに関する。」
　
「【００１９】図１は、検査予約システム１の１例であり、図１に示すように、検査予約システム１は、サーバ１０１、複数の端末装置１０３等が、ネットワーク１０９を介して接続されて構成される。・・・
【００２０】サーバ１０１は検査病院３に設置される。ここで、検査病院３は、高額な医療用診断機器１２１を所有する地域中核病院、大学病院等である。端末装置１０３は紹介元医療機関５に設置される。紹介元医療機関５は、地域の個人病院や診療所であり、自身で医療診断機器を所有しない医療機関である。
【００２１】診断機器１２１は、ＭＲＩ、ＣＴ、ＰＥＴ等の医療用診断機器である。各診断機器１２１は、診断システム１３１によって操作、管理される。診断システム１３１、院内システム３０３は、院内のＬＡＮ等によりサーバ１０１に接続される。院内システム３０３は、電子カルテシステムや診療予約システム等である。
【００２２】サーバ１０１は、サーバコンピュータ等であり、ＷＷＷサーバ１１０、予約管理サーバ１１１、データベース３０１等を有する。予約管理サーバ１１１は、ＷＷＷサーバ１１０から呼び出され、後述する検査予約処理等を行い、データベース３０１を管理する。」
　
「【００４３】図１０は、予約表データ３６１を示す図である。予約表データ３６１は診断機器１２１ごとの予約に関する情報を設定するデータであり、検査日と予約時刻に対してＳ１、Ｓ２、…が設定される。Ｓ１、Ｓ２、…には、受診者データ３４１、検査時間データ３２１が関連付けられ、「検査済み」、「検査中」、「予約済み」といった予約状況を示すステータスが設定される。
【００４４】図１１は、レポートデータ３７１を示す図である。レポートデータ３７１は、検査後に紹介元医療機関５から検査結果等の参照を要求された場合に送信するレポートを作成するためのデータであり、患者ＩＤ、紹介元医療機関ＩＤ、診断機器１２１によって撮影された画像ファイル名、検査に関する所見等が記載されたレポートファイル名等から構成される。」
　
「【００５１】次に、図１４に示すように、端末装置１０３の制御部４０１は、利用者によって選択された診断機器の予約状況の参照をサーバ１０１に対して要求する（ステップ７０１）。サーバ１０１の制御部２０１は、指定された診断機器１２１の予約表データ３６１を基に月別予約表画面を作成し、端末装置１０３に対してデータを送信する。
【００５２】端末装置１０３の制御部４０１は、月別予約表画面を表示し（ステップ７０３）、利用者によって入力された希望日時、検査部位、検査条件を送信する（ステップ７０４）。
　サーバ１０１の制御部２０１は、検査時間データ３２１を参照し、予約表データ３６１として希望日時に検査予約時間枠を登録する（ステップ７０５）。
【００５３】図１６は、月別の予約状況を示す予約表画面２０の一例を示す図である。予約表画面２０において、利用者が検査条件入力部２１や検査部位入力部２３における該当項目、予約表２５における希望日時をマウス等の入力部４０５でチェックすると、制御部４０１はその内容をサーバ１０１に送信する。
【００５４】サーバ１０１の制御部２０１は、入力された検査部位や検査条件から、検査時間データ３２１を参照し、検査に必要な予約時間枠の数を決定し、その必要な数の予約時間枠を希望日時に予約し、予約表データ３６１に登録する。希望日時に必要な数の予約時間枠が取れない場合は、端末装置１０３に対して日時の指定を再度依頼する。
【００５５】次に、サーバ１０１の制御部２０１が、患者情報入力画面データを送信すると（ステップ７０６）、端末装置１０３の制御部４０１は、その画面を表示し、利用者によって入力された患者情報を（患者が検査病院３にて再診であり、患者ＩＤがある場合には患者ＩＤを）サーバ１０１に送信する（ステップ７０７）。サーバ１０１の制御部２０１は、患者情報を受診者データ３４１として登録する。患者ＩＤが入力された場合は、患者ＩＤを基に受診者データ３４１から患者情報を読み出して送信する（ステップ７０８）。」
　
　以上の記載によれば、甲第３号証には、
「ネットワークを利用して高額な医療診断機器を地域で共同利用するための検査予約システムであって、
　検査病院に設置され、ＷＷＷサーバ、予約管理サーバ、データベース３０１等を有するサーバに、ＰＥＴ等の医療用診断機器を操作、管理する診断システムと電子カルテシステムや診療予約システム等である院内システムとが院内ＬＡＮ等により接続されており、
　端末装置に表示された月別予約表画面において利用者によって入力された希望日時、検査部位、検査条件がサーバに送信され、
　サーバは、入力された検査部位や検査条件から、検査時間データを参照して検査に必要な予約時間枠の数を決定し、その必要な数の予約時間枠を希望日時に予約し、予約表データに登録する、
　検査予約システム」
の発明（以下「引用発明３」という。）が記載されていると認められる。
　
５　当審の判断（申立理由１及び申立理由２について）
（１）請求項１に係る発明（本件発明１）について
ア　甲第１号証に記載された発明を主引用発明とした申立理由について
（ア）対比
　本件発明１と引用発明１とを対比すると、引用発明１の「検診」「検診予約要求」「オーダ」「オーダ記憶装置」は、それぞれ、本件発明１の「核医学検査」「依頼情報」「検査予約情報」「検査予約テーブル」に相当する。
　引用発明１の「ジョブ」に含まれる、撮像装置を使用した撮像オペレーションの時間と核種製造装置で製造される核種の情報は、核医学検査の時間枠と核医学検査のために製造され放射性医薬品の特定のための情報であり、それぞれ、本件発明１の「検査枠」と「検査種」に相当する。
　また、引用発明１の「製造詳細スケジュールＳＭ」は、決められた量と種類の薬剤を製造すべき旨を製造サイトに対して発注することを示す情報であり、本件発明１の「発注情報」に相当する。
　引用発明１の、放射線検診システム放射線検診スケジュール生成システムが構築されたスケジューリングサービス提供サイトは、依頼情報を取得し、取得された依頼情報に基づいて検査予約情報を検査予約テーブルに格納し、発注情報を生成するものであり、後述する相違点を除いて、本件発明１の「核医学検査支援装置」に対応する。
　
　してみると、本件発明１と引用発明１の一致点及び相違点は、次のとおりである。
　
＜一致点＞
　核医学検査の依頼情報を取得する依頼取得部と、
　前記取得された依頼情報に基づいて、検査枠及び検査種を示す検査予約情報を検査予約テーブルに格納する予約登録部と、
　少なくとも前記検査予約情報の前記検査種に基づいて放射性医薬品を特定し、該特定された放射性医薬品の発注情報を生成する発注生成部と、
　を備える核医学検査支援装置。
　
＜相違点１＞
　本件発明１の「発注情報」が「検査予約情報」の「検査枠に対応する検定日時情報」を含むのに対し、引用発明１の「発注情報」はこれを含んでいない点
　
（イ）相違点の判断
　本件発明１の「検定日時」とは、「放射能がいつの時点でどれくらいあるかということを示すための基準」であり、発注を受ける側において検定日時において放射能の存在する量が確保できるように製造量を算出しない限り、発注情報に検定日時情報を含める必要がない。そして、引用発明１の「製造詳細スケジュールＳＭ」は、ある時間に製造されるべき薬剤の種類と量の情報を含んでおり、これらの算出は、発注を受ける側となる製造サイトではなく、発注を行う側となるスケジューリングサービス提供サイトにおいて行われており、引用発明においては、発注情報に検定日時情報を含める必要がない。
　このことに鑑みれば、引用発明１における相違点１に係る構成の採用は、動機付けられることがなく、むしろ阻害されるものである。
　
（ウ）異議申立人の主張について
　は、申立理由１について、甲第１号証の【００６８】【００６９】【００７７】【００８２】【０１０４】の記載を示し、甲第１号証には、「少なくとも検査予約情報（予約結果ＲＲ）の検査種（検診種別）に基づいて放射性医薬品を特定し、該特定された放射性医薬品の発注情報であって検査予約情報の検査枠に対応する検診開始日時を含む発注情報を生成する発注生成部（詳細スケジュール生成装置６ｂ）」が記載されている、甲第１号証において放射性医薬品の発注には検定日時又はこれと同等な「検診開始日時」の情報が必要である、等として、上記相違点１が一致点であると主張している。
　しかしながら、甲第１号証のこれらの記載は、発注を受ける側となる製造サイトではなく発注を行う側となる詳細スケジュール生成装置６ｂを含むスケジューリングサービス提供サイトについてのものである。段落【０１０４】に明示されているように、甲第１号証においては、「設定したオベレーションの検診開始日時」に基づいて「製造する薬剤Ｍおよび核種の量」を「算出する」のは、「製造詳細スケジュールＳＭ」によって発注を受ける側でなく発注を行う側であり、「製造詳細スケジュールＳＭ」は、このようにして算出された「製造する薬剤Ｍおよび核種の量」の情報を含んでいれば十分であって、「検定日時情報」又はこれと同等の情報を含んでいないし、これを含む必要はない。よって、この点を一致点とすることはできない。
　
イ　甲第２号証に記載された発明を主引用発明とした申立理由について
（ア）対比
　本件発明１と引用発明２とを対比する。
　引用発明２の「ＲＩ検査」「ＲＩ検査予約情報（予約日、ＲＩ薬品名、数量）」「データベース」は、それぞれ、本件発明１の「核医学検査」「検査予約情報」「検査予約テーブル」に相当する。
　また、引用発明２の検査予約情報の「予約日」と「ＲＩ薬品名」は、それぞれ本件発明１の「検査枠」と「検査種」に相当する。
　また、引用発明における、抽出された発注薬品リストに基づいてメーカに送付される発注書は、本件発明１の「発注情報」に相当する。
　
　してみると、本件発明１と引用発明２の一致点及び相違点は、次のとおりである。
　
＜一致点＞
　検査枠及び検査種を示す検査予約情報を検査予約テーブルに格納する予約登録部と、
　放射性医薬品を特定し、該特定された放射性医薬品の発注情報を生成する発注生成部と、
　を備える核医学検査支援装置。
　
＜相違点＞
＜相違点２−１＞
　本件発明１は、「核医学検査の依頼情報を取得する依頼取得部」を備え、検査予約テーブルに格納される検査予約情報が「取得された依頼情報に基づ」くものであるのに対し、引用発明２は、この旨が明示されていない点。
＜相違点２−２＞
　本件発明１の「発注情報」に係る放射性医薬品の特定は、「少なくとも前記検査予約情報の前記検査種に基づいて」なされるのに対し、引用発明２は、「発注情報」に係る放射性医薬品の特定は、データベースを参照して半減期等を鑑み抽出される発注薬品リストによるものであって、検査予約情報の検査種に基づいてなされるか否かが明確でない点。
＜相違点２−３＞
　本件発明１の「発注情報」が「検査予約情報」の「検査枠に対応する検定日時情報」を含むのに対し、引用発明２の「発注情報」はこれを含んでいない点
　
（イ）相違点の判断
　事案に鑑み、相違点２−２、２−３について検討する。（以下、相違点２−２と相違点２−３を併せて「相違点２」という。）
　引用発明２は、「発注情報」に係る放射性医薬品の特定は、データベースを参照して半減期等を鑑み抽出される発注薬品リストによるものであり、これは、ＲＩ薬品の在庫量在庫量と半減期に基づいて発注が必要な（有効期限が切れる）薬品を抽出して発注するものであるから、「発注情報」は「検査予約情報」の「検査枠」に対応するものとなっていない。
　このことに照らせば、引用発明２において、「発注情報」に係る放射性医薬品の特定を「検査予約情報」の「検査種」により行うこと及び「発注情報」に「検査予約情報」の「検査枠に対応する検定日時情報」とすることは、動機付けられることがなく、むしろ阻害されるものである。
　
（ウ）異議申立人の主張について
Ａ　異議申立人は、甲第２号証の段落【００２４】【００３６】【００４０】〜【００４３】の記載を示し、甲第２号証には「検査予約情報の検査種（表示画面４０の放射性医薬品名及び／又は患者にＲＩ薬品を投与する部位）に基づいて放射性医薬品（発注すべき放射性医薬品名）を特定し、該特定された放射性医薬品の発注情報（薬品発注リスト）を生成すること」が記載されているとして、上記相違点２−２は一致点であると主張している。
　しかし、上記したとおり、甲第２号証における放射線部門側システムは、放射線部門情報管理システムとＲＩ薬品在庫管理システムとが組み合わせて構成されたものであり、「半減期」及び「現在の在庫量」に基づいて発注薬品リストを表示するものであるから、発注される検査種は、検査予約情報に基づくものというより現在の在庫量に基づいて発注が必要となったものであるといわざるを得ない。
　よって、この点を一致点とすることはできない。
　
Ｂ　異議申立人は、相違点２−３（異議申立人のいう相違点ｂ）について、甲第２号証の図３の表示画面に示された発注情報に対応する薬品発注リストにおける放射能量の値が図２の表示画面に示された検査予約情報における注射予定日の検査ごとに必要な特定の放射能量の値の総量であることが看取でき、また、検定日における検定時間が一時点に固定されうることが周知技術であり、放射性医薬品を発注するために、その放射性医薬品の検定日時が必要であることは自明であることに鑑みれば、甲第２号証は、発注情報が検定日時情報を含まなくても検定日時情報を把握できるために明記していないと看取でき、検定日時情報が別途必要な場合に発注情報にこれを含ませうることは、当業者であれば容易に想到し得ると主張している。
　相違点２−２及び２−３について、引用発明２において、「発注情報」に係る放射性医薬品の特定を「検査予約情報」の「検査種」により行うこと及び「発注情報」に「検査予約情報」の「検査枠に対応する検定日時情報」とすることは、動機付けられることがなく、むしろ阻害されるものであることは、（イ）において上記したとおりである。
　また、異議申立人が指摘する甲第２号証の図２と図３に図示された放射能量の値について検討すると、確かに、図３の表示画面に示された発注情報に対応する薬品発注リストにおける放射能量が図２の表示画面に示された検査予約情報における注射予定日の検査ごとに必要な特定の放射能量の総量と同じ値となっているものの、段落【００４７】〜【００５４】の記載からみて、図３の発注情報に対応する薬品発注リストにおける放射能量は、検査予約情報における放射能量の総量としてではなく、在庫量を踏まえて必要な量として決定されていることが明らかであるし、甲第２号証では、放射線部門側システムが放射線部門情報管理システムとＲＩ薬品在庫管理システムとが組み合わせられたものであることが前提となっているから、発注量の決定にあたって在庫量を踏まえるというＲＩ薬品在庫管理システムの機能を除外することはできない。してみると、異議申立人が指摘する甲第２号証の図２と図３における放射能量の値は、在庫量を踏まえて決定された結果の例として示されたものであり、在庫量を踏まえることなく検査予約情報から発注情報における放射能量を決定することを示唆するものということはできない。
　異議申立人の主張は、甲第２号証の記載を正解したものとなっておらず、採用することができない。
　
ウ　甲第３号証に記載された発明を主引用発明とした申立理由について
（ア）対比
　本件発明１と引用発明３とを対比する。
　引用発明３の「利用者によって入力された希望日時、検査部位、検査条件」は、サーバにおいて受信されて取得される、ＭＲＩ、ＣＴ、ＰＥＴ等の医療用診断機器を用いた診断の依頼であり、このうち、ＰＥＴを用いた診断の依頼は、本件発明１の「核医学検査の依頼情報」に相当する。
　
　また、引用発明３の「予約表データ」は、本件発明の「検査予約情報」を格納する「検査予約テーブル」に相当し、引用発明３における、格納された「検査予約情報」の「予約時間枠」は、本件発明の「検査枠」に相当する。
　
　してみると、本件発明１と引用発明３との一致点、相違点は、次のとおりである。
　
＜一致点＞
　核医学検査の依頼情報を取得する依頼取得部と、
　前記取得された依頼情報に基づいて、検査枠を示す検査予約情報を検査予約テーブルに格納する予約登録部と、
　を備える核医学検査支援装置。
　
＜相違点＞
＜相違点３−１＞
　本件発明１は、検査予約情報が「検査種」を示すものであるのに対し、引用発明３は、検査予約情報が「検査種」を示すものであるか否かが明確でない点
＜相違点３−２＞
　本件発明１は、「少なくとも前記検査予約情報の前記検査種に基づいて放射性医薬品を特定し、該特定された放射性医薬品の発注情報であって前記検査予約情報の前記検査枠に対応する検定日時情報を含む発注情報を生成する発注生成部」を備えるのに対し、引用発明３は、これを備えない点
（以下、相違点３−１と相違点３−２を併せて「相違点３」という。）
　
（イ）相違点の判断
　甲第３号証の「検査予約情報」を格納する「予約表データ」は、ＰＥＴを用いた診断の依頼のみならず、ＭＲＩやＣＴを用いた核医学検査以外の検査についても共通して用いられるものであるから、これに、核医学検査のみについて必要となる「放射性医薬品の特定」のための「検査種」の情報を備え、「検査予約情報」の「検査種」に基づいて「特定」された「放射性医薬品」の発注情報を生成するように変更することが動機付けられることはなく、むしろ阻害されるものである。
　さらに、「発注情報」に「検査予約情報」の「予約枠に対応する検定日時情報」を含めることは、上記変更をした上ででなければ想到しないのであるから、これについても動機付けられることはない。
　
（ウ）異議申立人の主張について
　異議申立人は、核医学検査が予約された場合、その予約内容に合わせた放射性医薬品が必要となることは明らかであり、引用発明３において甲第２号証記載の技術を適用することは容易である旨を主張している。
　しかし、核医学検査が予約された場合、その予約内容に合わせた放射性医薬品が必要となるとしても、甲第２号証のように、在庫量を踏まえて発注することも考えられ、甲第２号証の記載内容を併せ鑑みても、「検査予約情報」の「検査種に基づいて放射性医薬品を特定」し「該特定された放射性医薬品の発注情報」を「生成する」ものに想到しない。
　
エ　以上によれば、本件発明１は、甲第１号証に記載された発明でなく、また、甲第２号証又は甲第３号証に記載された発明に基づいて当業者が容易に発明をすることができたものでもない。　
　
（２）請求項２〜４に係る発明について
　請求項２〜４に係る発明は、本件発明１を限定したものであり、甲第１号証に記載された発明、甲第２号証に記載された発明又は甲第３号証に記載された発明と対比すると、それぞれ上記相違点１、相違点２又は相違点３において、少なくとも相違する。
　そして、上記のとおり、これらの相違点はいずれも容易想到ということができないから、請求項２〜４に係る発明は、甲第１号証、甲第２号証又は甲第３号証に記載された発明に基づいて当業者が容易に発明をすることができたものでもない。
　
（３）請求項５に係る発明について
　請求項５に係る発明は、本件発明１を限定したものであり、甲第１号証に記載された発明と対比すると、上記相違点１において、少なくとも相違する。
　よって、請求項５に係る発明は、甲第１号証に記載された発明でない。
　
　また、請求項５に係る発明は、甲第２号証に記載された発明又は甲第３号証に記載された発明と対比すると、それぞれ上記相違点２又は相違点３において、少なくとも相違する。
　そして、上記のとおり、これらの相違点はいずれも容易想到ということができないから、請求項５に係る発明は、甲第２号証又は甲第３号証に記載された発明に基づいて当業者が容易に発明をすることができたものでもない。
　
（４）請求項６に係る発明について
　請求項６に係る発明は、本件発明１の装置発明に対応する方法発明であって、甲第１号証に記載された発明と対比すると、上記相違点１に対応する相違点において相違する。
　よって、請求項６に係る発明は、甲第１号証に記載された発明でない。
　
　また、請求項６に係る発明は、甲第２号証に記載された発明又は甲第３号証に記載された発明と対比すると、それぞれ上記相違点２又は相違点３に対応する相違点において、少なくとも相違する。
　そして、上記に示したのと同様に、この相違点はいずれも容易想到ということができないから、請求項６に係る発明は、甲第２号証又は甲第３号証に記載された発明に基づいて当業者が容易に発明をすることができたものでもない。
　
（５）小括
　以上のとおり、申立理由１及び申立理由２は、いずれも理由がない。
　
６　当審の判断（申立理由３及び申立理由４について）
（１）申立理由３について
　異議申立人は、「特定された放射性医薬品の発注情報であって前記検査予約情報の前記検査枠に対応する検定日時情報を含む発注情報を生成する」について、発明の詳細な説明において、どのように発注情報を生成するかについて具体的に記載されていない、この点は、自明な事項でない、「日ごとに複数の検定時刻（・・）た設けられている放射性医薬品」の場合に、複数の検定時刻のいずれを発注情報に含める検定日時情報とするかの選択をどのように実施するかについて記載がない、と主張している。
　しかし、この点は、具体的に記載を要するまでもない事項であるし、複数の検定時刻がある場合に最適なものを選択することも当然のことであって記載を待つまでもないことである。
　
（２）申立理由４について
　異議申立人は、「特定された放射性医薬品の発注情報であって前記検査予約情報の前記検査枠に対応する検定日時情報を含む発注情報を生成する」について、明細書に対応する文言はあるものの、「日ごとに複数の検定時刻（・・）た設けられている放射性医薬品」の場合に、複数の検定時刻のいずれを発注情報に含める検定日時情報とするかの選択をどのように実施するかについて記載がないから、請求項に係る発明の範囲まで開示された内容を拡張ないし一般化できるとはいえない、と主張している。
　しかし、複数の検定時刻がある場合に最適なものを選択することも当然のことであって記載を待つまでもないことであり、この点において請求項に係る発明の範囲まで開示された内容を拡張ないし一般化できないということはできない。
　
（３）小括
　よって、申立理由３及び申立理由４は、いずれも理由がない。
　
７　むすび
　以上によれば、特許異議の申立ての理由及び証拠によっては、請求項１〜６に係る特許を取り消すことはできない。　
　また、他に請求項１〜６に係る特許を取り消すべき理由を発見しない。
　よって、結論のとおり決定する。
【異議決定日】
令和２年２月２８日（２０２０．２．２８）